(57)【要約】【課題】テーブルを支持する複数の脚支柱３間に棚板４を簡単に装着する。【解決手段】円筒状の脚支柱３の下端に着脱可能な棚受け体５は、底板１４ａを有する円筒状のカバー体１４と、その外側面に固定した支持片１５と、その水平部１５ａに上向き突設した係合ピン１６とを備える。カバー体１４を脚支柱３の下端に被嵌した状態で、アジャスタボルト２０のねじ軸部２１をその下方から底板１４ａの貫通孔１７を介して脚支柱３の内径下端部の雌ねじ部９に螺合させ、ねじ軸部２１に螺合しているナット２２にてカバー体１４を脱落不能に支持する。各棚受け体５の係合ピン１６に棚板４の下面の取付け孔１９を被嵌させて、各水平部１５ａで棚板４の下面を支持する。【選択図】  図５
2004350808.tif 000002
【特許請求の範囲】
【請求項１】
天板を支持する複数の脚支柱と、各脚支柱の下端にその下方から着脱可能に被嵌するカバー体の外面に固着された棚受け部を備えた棚受け体とからなり、該棚受け体をアジャスタボルトを介して前記脚支柱に抜け不能に装着し、前記棚受け体に棚板を着脱自在に載置したことを特徴とする棚板付きテーブル。
【請求項２】
前記脚支柱を断面円形状に形成し、前記棚受け体におけるカバー体を前記脚支柱に対して水平回動可能に被嵌させたことを特徴とする請求項１に記載の棚板付きテーブル。
【請求項３】
前記各棚受け体における棚受け部には、棚板を水平移動不能に係止する係合部を備えたことを特徴とする請求項１または２に記載の棚板付きテーブル。
【請求項４】
４本の脚支柱を天板の下面に平面視で矩形の角部となる位置に配置し、少なくとも前記４本の脚支柱で囲まれる領域に棚板を配置したことを特徴とする請求項１ないし３のいずれかに記載の棚板付きテーブル。
【発明の詳細な説明】
【０００１】
【発明の属する技術分野】
本発明は、店舗や作業場で使用する棚板付きテーブルの構成に関するものである。
【０００２】
【従来の技術】
従来、この種のテーブルの天板を支持する４本の支柱の下部に棚板を着脱可能に装着する装置として、特許文献１では、断面Ｌ状で各片に縦方向に適宜間隔で取り付け孔が形成されているアングル部材を支柱とし、棚受け具は前記支柱が上下に嵌まる貫通孔を有し、該貫通孔には、前記支柱の取り付け孔に係合する突起を備えると共に、前記貫通孔に挿入されて支柱を貫通孔の内壁に押しつけるロック部材を備える。そして、前記棚受け具は平面視で略三角形状に形成され、この棚受け具の互いに直交する２辺に対して棚板の角部をねじ止めするものであった。
【０００３】
また、特許文献２では、テーブルにおける円筒状の支柱の外面にナットを溶接固着し、該ナットに被嵌する連結片をボルトを介して前記ナットに螺着固定し、前記連結片には、互いに直交する水平方向に伸びる一対の腕を有し、この各腕が棚板の平面視直角の側片の内面に嵌合するように構成されたものであった。
【０００４】
【特許文献１】
特開平８−２２８８４６号公報
【特許文献２】
実開昭６１−２１４０号公報
【０００５】
【発明が解決しようとする課題】
しかしながら、前記特許文献１の構成では、アングル部材からなる支柱に被嵌した棚受け具の向きを水平に変更することができず、また、支柱に棚受け具を固定するのに、棚受け具に穿設された貫通孔に挿入するロック部材が必要であった。
【０００６】
他方、特許文献２の構成では、円筒状の支柱の外面には、棚板を設ける高さ位置に予めナットを溶接固定する必要があり、棚板を装着しないテーブルの支柱に変更するときには、前記ナット部分が邪魔になるという問題があった。また、天板に円筒（円柱）状の支柱の上端にボルトを突設し、この支柱を軸線回りに回しながら、天板の下面に形成されている雌ねじ部に螺着して支柱を天板下面に固定するようなものでは、支柱の上端面が天板の下面に密着する状態での前記特許文献２のナットの向きがまちまちに成り易く、棚板を正確に取付けすることができないという問題もあった。
【０００７】
本発明では、通常のテーブルに対する支柱の下部に対して、後から簡単に棚板を装着するための棚受け体を着脱可能に装着できるようにした棚板付きテーブルを提供することを目的とするものである。
【０００８】
【課題を解決するための手段】
前記目的を達成するため、請求項１に記載の発明の棚板付きテーブルは、天板を支持する複数の脚支柱と、各脚支柱の下端にその下方から着脱可能に被嵌するカバー体の外面に固着された棚受け部を備えた棚受け体とからなり、該棚受け体をアジャスタボルトを介して前記脚支柱に抜け不能に装着し、前記棚受け体に棚板を着脱自在に載置したものである。
【０００９】
そして、請求項２に記載の発明は、請求項１に記載の棚板付きテーブルにおいて、前記脚支柱を断面円形状に形成し、前記棚受け体におけるカバー体を前記脚支柱に対して水平回動可能に被嵌させたものである。
【００１０】
請求項３に記載の発明は、請求項１または２に記載の棚板付きテーブルにおいて、前記各棚受け体における棚受け部には、棚板を水平移動不能に係止する係合部を備えたものである。
【００１１】
請求項４に記載の発明は、請求項１乃至３いずれかに記載の棚板付きテーブルにおいて、４本の脚支柱を天板の下面に平面視で矩形の角部となる位置に配置し、少なくとも前記４本の脚支柱で囲まれる領域に棚板を配置したものである。
【００１２】
【発明の実施の形態】
次に本発明を具体化した好適な実施形態について説明する。図１は棚板付きテーブルの斜視図、図２はテーブルの天板と脚支柱上端との取り付け部を示す断面図、図３（ａ）は棚受け体の平面部図、図３（ｂ）は断面図、図４は棚受け体を脚支柱の下端部に装着する状態を示す斜視図、図５は棚板の取り付け状態を示す一部切欠き断面図である。
【００１３】
本発明のテーブル１は木製の単板またはファイバーボード、ハードボード、パーティクルボード等からなる天板２とその下面の略四隅部分を支持する４本の脚支柱３と、該４本の脚支柱３で平面視で略囲まれた領域に、後述する棚受け体５を介して着脱可能に装着する棚板４とからなる。
【００１４】
各脚支柱３は、アルミニウムまたは鋼製の円筒状である。脚支柱３の上端側にはその内径部を塞ぐ上仕切り板６が溶接固定されている。上仕切り板６の中心部には雌ねじ部７が形成されている（図２参照）。同様に脚支柱３の下端側の内径部を塞ぐように溶接固定された下仕切り板８の中心部には、雌ねじ部９を備えた筒部材１０が下面側から点溶接にて固着されている（図５参照）。この雌ねじ部９に対してアジャスタボルト２０のねじ軸部２１が螺合できるように構成されている。
【００１５】
金属製等のブラケット１１には平面視６角状の凹み座部１２が形成されている。前記凹み座部１２に予め取付けボルト１３の６角頭部１３ａを嵌め込んだ後、該ブラケット１１を天板２の下面にねじ止めすることにより、取付けボルト１３は回転且つ脱落不能となる。この取付けボルト１３に対して、前記脚支柱３の上仕切り板６の雌ねじ部７を螺合させ、脚支柱３の上端面がブラケット１１に当接するまでしっかりとねじ込むと、各脚支柱３はしっかりと天板２の下面に固定できる（図２参照）。
【００１６】
本発明に係る棚受け体５は、脚支柱３と同じくアルミニウムまたは鋼製であって、底板１４ａ付きの円筒状のカバー体１４と、該カバー体１４の外面に溶接された側面視Ｌ字状の棚受け部としての支持片１５とからなる。支持片１５の水平部１５ａには、丸軸状等の係合部としての係合ピン１６が上向きに突設されている（図３（ｂ）及び図４参照）。また、前記カバー体１４における底板１４ａには、前記下仕切り板８側の筒部材１０の雌ねじ部９より大径の貫通孔１７が穿設されている（図３（ａ）、図３（ｂ）及び図５参照）。棚受け体５における円筒状のカバー体１４は前記脚支柱３の下端に着脱可能且つ水平旋回可能に被嵌できるものである。
【００１７】
棚板４は、木質の単板またはファイバーボード、ハードボード、パーティクルボード等からなり、棚板４の下面の四隅部には、前記係合ピン１６が嵌まる取付け孔１９が穿設されている。
【００１８】
上記の構成において、テーブル１における各脚支柱３の下端に対して、前記棚受け体５のカバー体１４を被嵌し、当該カバー体１４の底板１４ａを脚支柱３の下端に当接させる（図４参照）。次いで、前記アジャスタボルト２０のねじ軸部２１に予めナット２２を螺合させておき、前記ねじ軸部２１をカバー体１４の底板１４ａ下方から貫通孔１７を通して、前記筒部材１０の雌ねじ部９に螺合させる。次いで、ナット２２を回して、当該ナット２２を底板１４ａの下面に当接させると、カバー体１４が脱落せず、且つ水平回転可能に装着できることになる（図５参照）。この状態で、棚板４の下面の取付け孔１９を前記各棚受け体５における係合ピン１６に嵌め入れる。前記各取付け孔１９と係合ピン１６との位置合わせのためには、前記カバー体１４を水平に回せば良い。
【００１９】
各係合ピン１６に取付け孔１９が嵌まった状態では、棚板４の下面が支持片１５における水平部１５ａに載置されることになる。さらに、ナット２２を回して、前記底板１４ａを脚支柱３の下端面に押しつけた場合には、カバー体１４は脚支柱３に対して回動不能に固定され、棚受け体５が脚支柱３にしっかりと固定されたことになる。このように、本発明では、脚支柱３の下端に通常設けられている天板２の水平調節のためのアジャスタボルト２０を利用して、棚受け体５を装着することができ、必要部品点数も少なくて済む。
【００２０】
４本の脚支柱３のそれぞれの下端部に棚受け体５を配置したので、この４つの棚受け体５に載置される棚板４の大きさは、少なくとも、平面視において、前記４本の脚支柱３で囲まれた領域であり、その領域より大きい平面積の棚板４であっても装着することができる（図１参照）。
【００２１】
なお、棚受け体５は金属製ばかりでなく、強度の強い合成樹脂材にて形成しても良い。また、天板２及び棚板４は金属板製であっても良い。
【００２２】
脚支柱３も、雌ねじ部７、９を有する限り合成樹脂材にて形成しても良く、円柱状であっても良い。また、脚支柱３の断面が円形以外の場合でも、その外周断面を有するように棚受け体５におけるカバー体１４を形成することで、脚支柱３の下端に対してカバー体１４を簡単に着脱可能にできるが、その場合には水平回動はできない。
【００２３】
本発明のテーブル１は、作業用ばかりでなく、店舗における商品陳列用にも適用できる。このテーブル１に棚板４を装着させない場合には、前記と逆の作業手順で、棚受け体５を脚支柱３から取り外せばよく、テーブル１の使用形態の変更作業が至極容易にできるという効果を奏する。
【００２４】
【発明の効果】
以上に詳述したように、請求項１に記載の発明は、テーブルの天板を支持する複数の脚支柱と、各脚支柱の下端にその下方から着脱可能に被嵌するカバー体の外面に固着された棚受け部を備えた棚受け体とからなり、該棚受け体をアジャスタボルトを介して前記脚支柱に抜け不能に装着し、前記棚受け体に棚板を着脱自在に載置したものである。このように構成したから、棚板を必要とするテーブルに対しては、通常天板の水平調節のために、脚支柱の下端に装着されているアジャスタボルトを利用して、棚受け体を簡単に装着でき、必要部品点数も少なくて済むという効果を奏する。
【００２５】
そして、請求項２に記載の発明は、請求項１に記載の棚板付きテーブルにおいて、前記脚支柱を断面円形状に形成し、前記棚受け体におけるカバー体を前記脚支柱に対して水平回動可能に被嵌させたものである。従って、請求項１に記載の発明による効果に加えて、棚板を棚受け体にきっちりと載置固定する調節作業を前記カバー体と共に棚受け部の向きを変更調節だけで簡単に行えるという効果を奏する。
【００２６】
また、脚支柱をその軸線回りに回転させて天板下面に固定する場合にも、後に装着する棚受け体の軸線回りの向きを任意にセットすることができるため、この棚受け体を介して棚板を正確に載置できるという効果を奏する。
【００２７】
請求項３に記載の発明は、請求項１または２に記載の棚板付きテーブルにおいて、前記各棚受け体における棚受け部には、棚板を水平移動不能に係止する係合部を備えたものであるから、請求項１または２に記載の発明による効果に加えて、棚板が水平移動しないように固定させることが至極簡単にできる。
【００２８】
請求項４に記載の発明は、請求項１乃至３いずれかに記載の棚板付きテーブルにおいて、４本の脚支柱を天板の下面に平面視で矩形の角部となる位置に配置し、少なくとも前記４本の脚支柱で囲まれる領域に棚板を配置したものであるから、請求項１乃至３いずれかに記載の発明による効果に加えて、４本の脚支柱に対して棚受け体を介してその脚支柱で囲まれる領域を有する棚板を固定でき、脚支柱の下端側が水平に撓むことも確実に防止できて、テーブルの強度も向上するという効果を奏する。
【図面の簡単な説明】
【図１】本発明を適用したテーブルの概略斜視図である。
【図２】天板と脚支柱との取付け部を示す要部断面図である。
【図３】（ａ）は棚受け体の平面図、（ｂ）は図３（ａ）の  ＩＩＩｂ  −ＩＩＩｂ線矢視断面図である。
【図４】棚受け体を脚支柱の下端に装着する場合の順序を示す斜視図である。
【図５】棚板を装着した状態を示す図１のＶ−Ｖ線矢視一部切欠き拡大断面図である。
【符号の説明】
１    テーブル
２    天板
３    脚支柱
４    棚板
５    棚受け体
９    雌ねじ部
１０    筒部材
１４    カバー体
１４ａ  底板
１５    棚受け部としての支持片
１５ａ  水平部
１６    係合ピン
１７    貫通孔
１９    取付け孔
２０    アジャスタボルト
２１    ねじ軸部
２２    ナット
【図１】
2004350808.tif 000003
【図２】
2004350808.tif 000004
【図３】
2004350808.tif 000005
【図４】
2004350808.tif 000006
【図５】
2004350808.tif 000007